(57)【要約】      （修正有）【課題】漏水と、上部に雑物が堆積されてルーバーの通常開閉に影響する等の問題を解決するルーバーキャノピーを提供する。【解決手段】ルーバーキャノピーは枠部を含み、枠部の頂部は支持梁を有し、支持梁には複数の羽根２が回動可能に連結され、複数の羽根は平行になって間隔を有して設けられ、支持梁の長手方向に沿って連続的に配列されていて、各羽根は長いスリット状の雨よけパネルを含み、雨よけパネルは第１長側辺と第２長側辺を含み、雨よけパネルの第１長側辺には水当てパネルが連結され、水当てパネルと雨よけパネルの間は長いスリット状の滞水溝を囲んで形成し、滞水溝の両端にはそれぞれ水出口が設けられていて、複数の羽根が閉鎖状態に回動されたとき、滞水溝の開口は上へ向き、雨よけパネルの第２長側辺は隣接する羽根の水当てパネルの頂部を越え、かつ隣接する羽根の滞水溝の上方に位置し、キャノピーの雨漏りとキャノピー上の雑物の堆積を防ぐ。【選択図】図４ａ
2020190187.tif 000002
【特許請求の範囲】
【請求項１】
枠部（１）を含み、前記枠部（１）の頂部は支持梁（１１）を有し、前記支持梁（１１）には複数の羽根（２）が回動可能に連結され、複数の前記羽根（２）は平行になって間隔を有して設けられ、かつ前記支持梁（１１）の長手方向に沿って連続的に配列されるルーバーキャノピーであって、
各前記羽根（２）は長いスリット状の雨よけパネル（２１）を含み、前記雨よけパネル（２１）は第１長側辺（２１ａ）と第２長側辺（２１ｂ）を含み、前記雨よけパネル（２１）の第１長側辺（２１ａ）には水当てパネル（２２）が連結され、前記水当てパネル（２２）と雨よけパネル（２１）の間は長いスリット状の滞水溝（２３）を囲んで形成し、前記滞水溝（２３）の両端にはそれぞれ水出口（２３１）が設けられ、複数の前記羽根（２）が閉鎖状態に回動されたとき、前記滞水溝（２３）の開口は上へ向かっており、前記雨よけパネル（２１）の第２長側辺（２１ｂ）は隣接する羽根の水当てパネル（２２）の頂部を越え、かつ隣接する羽根の滞水溝（２３）の上方に位置することを特徴とするルーバーキャノピー。
【請求項２】
前記支持梁（１１）はそれぞれ傾斜して設けられ、前記雨よけパネル（２１）は隣接する羽根の滞水溝（２３）に向かって延伸する延伸段（２１２）を有し、複数の前記羽根（２）が閉鎖状態に回動されたとき、前記滞水溝（２３）の水当てパネル（２２）の片側に位置する溝壁は前記雨よけパネル（２１）より高いことを特徴とする請求項１に記載のルーバーキャノピー。
【請求項３】
複数の前記羽根（２）が閉鎖状態に回動されたとき、前記雨よけパネル（２１）の第２長側辺（２１ｂ）と隣接する羽根の水当てパネル（２２）との間は可動空間（３）を有し、羽根（２）を引き続き回動させることで、水当てパネル（２２）と隣接する羽根とを互いに当接させることを特徴とする請求項１に記載のルーバーキャノピー。
【請求項４】
前記雨よけパネル（２１）の第２長側辺（２１ｂ）は湾曲延伸して雨よけ折部（２１１）を形成し、複数の前記羽根（２）が閉鎖状態に回動されたとき、前記雨よけ折部（２１１）は隣接する羽根の滞水溝（２３）内に挿設されることを特徴とする請求項１に記載のルーバーキャノピー。
【請求項５】
前記水当てパネル（２２）の雨よけパネル（２１）から離れる片側のエッジ部には雨よけパネル（２１）に向かって湾曲し、かつ前記水当てパネル（２２）と共に貯水に用いる拘束溝（２４）を囲んで形成する湾曲パネル（２２１）が設けられる特徴とする請求項１に記載のルーバーキャノピー。
【請求項６】
前記滞水溝（２３）の開口の幅は前記雨よけパネル（２１）の幅の１／４より大きいことを特徴とする請求項１に記載のルーバーキャノピー。
【請求項７】
前記枠部（１）の頂部はクロスメンバー（１２）を更に有し、複数の前記羽根（２）はそれぞれ前記クロスメンバー（１２）の両側に配置されることを特徴とする請求項１に記載のルーバーキャノピー。
【請求項８】
前記支持梁（１１）はその長手方向に沿って設けられている水案内溝（１３）を有し、前記水案内溝（１３）は支持梁（１１）と前記羽根（２）の接合部位に対応する真下に位置し、前記枠部（１）は前記支持梁（１１）を支持する複数の立柱（１４）を更に含み、各前記立柱（１４）内は上下が貫通する排水通路（１４１）を有し、前記排水通路（１４１）の上端は隣接する水案内溝（１３）に連通し、各前記立柱（１４）の底部のキャノピーに向かっている外側には排水口（１４２）が設けられ、前記排水口（１４２）は前記排水通路（１４１）の下端に連通されることを特徴とする請求項７に記載のルーバーキャノピー。
【請求項９】
前記クロスメンバー（１２）はその長手方向に沿って設けられる水受け溝を有し、前記水受け溝は前記羽根（２）とクロスメンバー（１２）の接合部位の真下に位置することを特徴とする請求項８に記載のルーバーキャノピー。
【発明の詳細な説明】
【技術分野】
【０００１】
本発明はキャノピーの技術分野に属し、ルーバーキャノピーに関する。
【背景技術】
【０００２】
キャノピーは建築物の出入口と頂部バルコニーの上方に設けられて、雨、風を防ぎ、高所からの落下物により負傷されることを防ぐ建築装置である。現在のキャノピーは通常固定設置され、可動キャノピーは通常複数の防雨シートまたは軟質の防雨布から構成される。防雨シートを開く際に、手動で１つ１つずつ取り外す必要があり、または防雨布を開く際にも手動で折り畳まなければならない。その作業は非常に面倒で、突然雨が降る状況で、必要位置に即時に設置して雨を防ぐことができない。
【０００３】
この問題を解決するため、従来のキャノピーはルーバー構造を採用し、回動可能な羽根を通じてキャノピーを開くまたは閉じる状態での切換を迅速に行い、または晴れた日は太陽の照射状況によりルーバーの開きを調整して、キャノピー内の光線調節、キャノピー内の空気の流れる促進させることができる。キャノピーが閉じられたとき、隣接する羽根の間は羽根上を被覆設置されたリングシールを互いに貼合させて締め付けを実現する。これにより、雨水がキャノピー内に流れ込むことを防ぐことができるが、キャノピーを複数開閉するとリングシールの間の摩損が大きく、長期使用した後、リングシールに老化現象が生じしやすく、リングシールの間が密着できず、雨の日にキャノピーに漏水問題が発生しやすくなる。
【０００４】
例えば、中国実用新案公告番号ＣＮ２０８４７３１４５Ｕではルーバーキャノピー頂部及びルーバーキャノピーを公開し、枠体、駆動部と複数のブレードを含む。枠体は収容空間を有し、複数のブレードは平行になって収容空間内に設けられる。駆動部はブレードに垂直する駆動ロッドを含み、ブレードは駆動側を有し、駆動側の中央部は枠体に回動可能に連結され、駆動側の端部は駆動ロッドに回動可能に連結される。駆動ロッドの一端には駆動ロッドを駆動して軸方向に変位させる駆動部材が設けられている。該ルーバーキャノピーの羽根にはシーラが粘着され、複数の開閉または長期使用すると摩損または老化が発生しやすく、キャノピーの漏水に至る。同時に、降雨過程で強風に伴って、風に混ざって落ちる雑物がキャノピーに落ちて堆積を生じし、清浄しにくくなり、さらに、ルーバーの後期での正常開閉にも影響される。当業者はキャノピーの清浄問題を解決するために、通常水洗いまたは空気吹込み装置を増加して表面雑物に対してどのように清浄を行うかを考慮し、または昇降装置を設置して、雨が止んだ後に降ろして人工での清浄を容易にすることを考慮するが、前記手段は製造コストと構造の複雑さを増加する恐れがある。
【発明の概要】
【０００５】
本発明は既存技術の存在する前記問題点に対して、ルーバーキャノピーを提供する。本発明の解決しようとする技術課題は、キャノピーの漏水及び雨が降るときにキャノピー上に落ちる雑物による堆積をどのように回避するかである。
【０００６】
本発明の目的は下記の技術手段を通じて実現される。
【０００７】
ルーバーキャノピーであって、枠部を含み、前記枠部の頂部は支持梁を有し、前記支持梁には複数の羽根が回動可能に連結される。複数の前記羽根は平行になって間隔を有して設けられ、かつ前記支持梁の長手方向に沿って連続的に配列される。その特徴として、各前記羽根は長いスリット状の雨よけパネルを含み、前記雨よけパネルは第１長側辺と第２長側辺を含む。前記雨よけパネルの第１長側辺には水当てパネルが連結され、前記水当てパネルと雨よけパネルの間は長いスリット状の滞水溝を囲んで形成し、前記滞水溝の両端にはそれぞれ水出口が設けられている。複数の前記羽根が閉鎖状態に回動されたとき、前記滞水溝の開口は上へ向かっており、前記雨よけパネルの第２長側辺は隣接する羽根の水当てパネルの頂部を越え、かつ隣接する羽根の滞水溝の上方に位置する。
【０００８】
枠部は支持に用いられ、かつその頂部には羽根が設けられている。複数の羽根は平行になって間隔を有して枠部頂部の支持梁の間に設けられ、支持梁は水平に設けられてもよく、傾斜して設けられてもよく、羽根の両端には操縦置が設けられ、ユーザーの操作により羽根自身の偏向角度の調節を実現する。回動して開くとき、羽根はほぼ直立状態になり、かつ隣接する羽根の間は大きな空間を有して光線の入射を許容して、キャノピー内での明るさを向上させる。閉鎖して密閉されるときは滞水溝の開口が上へ向かっており、雨水または雑物が混入された雨水が滞水溝内に直接落ちまたは雨よけパネル上に落ちて再び雨よけパネルに沿って滞水溝内に流れ込み、それ後滞水溝の両端の排水口から排出されやすくなる。かつ、回動して閉鎖されるとき、雨よけパネルの第２長側辺は隣接する羽根の水当てパネルの頂部を越えて隣接する羽根の滞水溝に位置するため、隣接する２つの羽根が互いに重なり合い、雨水が２つの羽根の間からキャノピー内に入ることを回避し、同時に該第２長側辺は該第２長側辺上に落ちた雨水または雑物が混入された雨水を下方の滞水溝内に流して、雨水または雑物を高速に排出させることに役に立つ。従来技術ではリングシールまたはシーラを用いて隣接する羽根の間の縦方向密閉を実現しているが、本発明では羽根に滞水溝を設け、滞っている水を流通させる手段を通じて雨水または雑物を排出し、リングシールまたはシーラが容易に摩損と老化する問題を回避し、キャノピーの防水を確保し、かつキャノピー上の雑物の堆積を回避する。
【０００９】
前記ルーバーキャノピーにおいて、前記支持梁は傾斜に設けられ、複数の前記羽根が閉鎖状態に回動されたとき、前記滞水溝の水当てパネルの片側に位置する溝壁は前記雨よけパネルより高い。支持梁が傾斜に設けられるため、キャノピーの頂部全体が傾斜形状を呈し、雨水または雑物が混入された雨水は羽根に沿って下へ滑り落ちやすくなって、落ちる雑物が容易に滑り落ちて堆積しにくくなる。落ちる雑物は通常軽くかつ薄くて、湿った羽根の表面に粘着されて清浄しにくくなり、降雨過程で雨水は先に滞水溝内に収集し、滞水溝が満杯になると下へ向かって継続して流動する。降水量が多いとき、キャノピーの頂部の水流量が大きいため、落ちる雑物を勢いで落とさせており、降水量が少ないとき、落ちる雑物は一部が滞水溝内の水液表面に浮かび、雑物と羽根の間の水膜が非常に薄くなって完全に貼合するため、上方で持続する水量の衝撃下で依然として水流に従って下へ落ち、降水量の少ないときの雑物が羽根の表面に貼合して堆積を形成することを回避する。滞水溝の水当てパネルの片側に位置する溝壁は雨よけパネルより高く設置され、特に閉鎖状態のとき、雨よけパネルの第２長側辺はその下方の隣接する羽根の水当てパネルの頂部を越えてその下方の隣接する羽根の滞水溝の上方に位置し、これにより、滞水溝に満杯になった後、水流は下へ向かって隣接する滞水溝内に流されて、雑物に対して衝撃を与えかつ雑物が重力の分力と水流の力作用でキャノピーの頂部から離れ、堆積の形成を回避する。かつ滞水溝が満杯になると水流は水当てパネルの片側からキャノピー内に流れて、キャノピーの防水を確保する。
【００１０】
前記ルーバーキャノピーにおいて、前記雨よけパネルは第１長側辺から平滑に第２長側辺へ過渡し、前記雨よけパネルは隣接する羽根の滞水溝に向かって延伸する延伸段を有し、前記第２長い側辺は延伸段の末端に位置し、複数の前記羽根が閉鎖状態に回動されたとき、前記延伸段は下へ向かって傾斜状態になる。雨よけパネルは第１長側辺から平滑に第２長側辺へ過渡するように設置されて、雨水または雑物が混入された雨水は流動過程で抵抗を受け、雨水または雑物が混入された雨水の運動が更に順調になって、堆積を形成することを回避する。延伸段を設けることにより、水流と雑物は重力の分力作用により流動速度が更に速くなって、雑物の滞水溝領域での運動時間を減少し、貼合の形成を回避する。
【００１１】
前記ルーバーキャノピーにおいて、複数の前記羽根が閉鎖状態に回動されたとき、前記雨よけパネルの第２長側辺と隣接する羽根の水当てパネルとの間に可動空間を有し、継続して羽根を回動させると水当てパネルは隣接する羽根に当接する。閉鎖状態のとき雨よけパネルの第２長側辺と隣接する羽根の水当てパネルの間に可動空間を有するように設けているため、キャノピーは雨よけを実現すると同時に、優れる通気効果を有し、雨が降るときにキャノピー内で生じるスモッグまたは異常な臭は高速に拡散できる。それ以外に、雨が止んだ後、ユーザーは羽根を回動させて可動空間を圧縮して当接状態にし、雨水がキャノピー内に入らないように確保し、滞水溝は回動による影響を受けて傾斜し、その内部に残された雨水は溢れ出して流れ落ちるため、雨の後にキャノピーの頂部に残された少量の雑物は雨水の衝撃を受けて順調にキャノピーから離れ、自動清浄効果を実現し、さらに雑物の堆積を回避できる。
【００１２】
前記ルーバーキャノピーにおいて、前記雨よけパネルの第２長側辺は湾曲延伸されて雨よけ折部を形成し、複数の前記羽根が閉鎖状態に回動されたとき、前記雨よけ折部は隣接する羽根の滞水溝内に挿設される。すなわち、閉鎖状態で雨よけ折部の底部は隣接する羽根の水当てパネルの頂部より低くなっているため、外部の風力が大きくなって水滴を横方向に落とさせても、羽根の間の空間を通じて羽根の内部へ進入できない。
【００１３】
前記ルーバーキャノピーにおいて、前記水当てパネルの雨よけパネルから離れる片側のエッジ部には、雨よけパネルに向かって湾曲し湾曲パネルが設けられている。すわなち、湾曲パネルと水当てパネルが拘束溝を囲んで形成し、水当てパネルは同時に拘束溝の一部溝壁と滞水溝の一部溝壁とされて、拘束溝内の水が滞水溝両端の排水口から排出できる。ユーザーが羽根を回動させてほぼ直立状態に開いたとき、拘束溝内に滞留された一部の雨水は水当てパネルに沿って拘束溝内に流れかつ湾曲パネルにより制限され、最終的には拘束溝の両端に流れて排水口から流出され、羽根を開いたときにキャノピー内に落ちない。
【００１４】
前記ルーバーキャノピーにおいて、前記滞水溝の開口の幅は前記雨よけパネルの幅の１／４より大きい。滞水溝の開口の幅が雨よけパネルの幅の１／４より大きく設置されることで、落ちた雑物と滞水溝内の雨水が十分な接触面積を有し、雑物が羽根の表面に貼合する確率を減少させて、雑物の堆積を回避する。
【００１５】
前記ルーバーキャノピーにおいて、前記枠部の頂部はクロスメンバーを更に有し、複数の前記羽根はそれぞれ前記クロスメンバーの両側に配置される。これにより、同じ高さ条件下でキャノピーの頂部の傾斜度が更に大きくなって、雑物が堆積できる難度を増加し、空間の利用に役に立つ。
【００１６】
前記ルーバーキャノピーにおいて、前記支持梁はその長手方向に沿って設けられる水案内溝を有し、前記滞水溝の両端の水出口はそれぞれ隣接する水案内溝に連通される。前記水案内溝は支持梁と前記羽根の接合部位に対応する真下に位置し、前記クロスメンバーはその長手方向に沿って設けられる水受け溝を有し、前記水受け溝は前記羽根とクロスメンバーの接合部位の真下に位置する。前記水受け溝の両端は隣接する水案内溝にそれぞれ連通し、これにより、羽根とクロスメンバーの接合部位から流される一部の雨水は水受け溝内に収集されて水案内溝から排出され、雨水がキャノピーの内部に対して影響することを回避する。
【００１７】
前記ルーバーキャノピーにおいて、前記枠部は前記支持梁を支持する複数の立柱を更に含み、各前記立柱内は上下貫通する排水通路を有し、前記排水通路の上端は隣接する水案内溝に連通する。水案内溝内の水は排水通路を通じて下へ向かって流出する。
【００１８】
前記ルーバーキャノピーにおいて、各前記立柱の底部のキャノピーに向かう外側には排水口が設けられ、前記排水口は前記排水通路の下端に連通する。滞水溝内に流れ込んだ雨水または雑物が混入された雨水は水出口から連続的に水案内溝、排水通路に流されて、排水口を通じてキャノピーの外部へ流出され、キャノピー内の雨水による影響を回避する。
【００１９】
従来技術に比べて、本発明は下記のような特徴を有する。
１、ルーバーキャノピーは枠部の頂部に傾斜して下へ向かって延伸する支持梁を設け、羽根が支持梁の長手方向に沿って配列されることで、キャノピーの頂部全体が傾斜形状を呈し、落ちる雑物が容易に重力の作用を受けて滑り落ち、堆積しにくくなる。羽根が雨よけパネルと水当てパネルを有し、その両者の間に滞水溝を形成するように設置することで、降雨過程で雨水は先に滞水溝内に収集され、滞水溝が満杯なると下へ向かって継続して流動する。降水量が大きいとき、キャノピーの頂部の水流量も大きくなって落ちる雑物を勢いで落とさせることができ、降水量の少ないとき、落ちる雑物はその一部が滞水溝内の水液表面に浮かび、雑物と羽根の間の水膜が非常に薄くなって完全に密着するため、上方で持続する水量の衝撃下で依然として水流に従って下へ落ち、降水量の少ないときの雑物が羽根の表面に貼合して堆積を形成することを回避する。水当てパネルの外側辺が雨よけパネルより高く、雨よけパネルの他側の側辺が下方の隣接する羽根の滞水溝の真上に位置するため、滞水溝が満杯になると水流は下へ向かって隣接する滞水溝内に流されて、雑物に対して衝撃を与え、雑物は重力の分力と水流の力の作用でキャノピーの頂部から離れて、堆積の形成を回避する。
【００２０】
２、本発明のルーバーキャノピーにおいて、閉鎖状態のとき、雨よけパネルの他側の側辺と下方の隣接する羽根の水当てパネルの間が可動空間を有するため、雨が止んだ後、ユーザーは羽根を操作して継続に回動させて可動空間を圧縮して当接状態にし、これにより、滞水溝が羽根の回動の影響を受けて傾斜し、その内部に残された雨水は溢れ出して下へ流される。従って、雨後にキャノピーの頂部に残された少量の雑物はこの部分の雨水の衝撃を受けて順調にキャノピーから離れ、自動清掃効果を実現し、さらに雑物の堆積を回避する。
【図面の簡単な説明】
【００２１】
【図１】ルーバーキャノピーの閉鎖状態の立体構造模式図である。
【図２】ルーバーキャノピーの閉鎖状態の断面構造模式図である。
【図３】図２のＡ部分の拡大図である。
【図４ａ】ルーバーキャノピーの閉鎖状態での羽根の貯水された際の断面図である。
【図４ｂ】図４ａが縦方向に回転された後に形成される使用状態模式図である。
【図５】羽根の立体構造模式図である。
【図６】ルーバーキャノピーの開いた状態での局部構造模式図である。
【図７】ルーバーキャノピーの閉鎖状態での隠れた羽根の立体構造模式図である。
【図８】図７のＢ部分の拡大図である。
【図９】図７のＣ部分の拡大図である。
【図１０】立柱の横切断面図である。
【発明を実施するための形態】
【００２２】
以下は本発明の具体的実施例及び図面を合わせて、本発明の技術手段に対して更に説明するが、本発明は本実施例に制限されない。
【００２３】
図１−７に示されるように、本発明のルーバーキャノピーは枠部１と枠部１の頂部に回動可能に連結される複数の羽根２を含む。複数の羽根２は平行になって間隔を有して設けられ、複数の羽根２は回動することによって枠部１の頂部を縦方向に沿って密閉されることができ、枠部１の頂部は中央部から枠部１の外側に向かって傾斜して延伸する４つの支持梁１１を有する。複数の羽根２は平行する２つ支持梁１１の間に設けられ、かつ支持梁１１の長手方向に沿って連続的な配列され、羽根２の両端は対向する支持梁１１にそれぞれ当接する。羽根２は長いスリット状の雨よけパネル２１を含み、雨よけパネル２１は第１長側辺２１ａと第２長側辺２１ｂを含み、雨よけパネル２１の第１長側辺２１ａには水当てパネル２２が連結され、水当てパネル２２と雨よけパネル２１の間は長いスリット状の滞水溝２３が形成され、滞水溝２３の両端にはそれぞれ水出口２３１が設けられている。複数の羽根２が閉鎖状態に回動されたとき、滞水溝２３の水当てパネル２２の片側に位置する溝壁は雨よけパネル２１より高く、かつ滞水溝２３の開口が上へ向かっており、雨よけパネル２１の第２長側辺２１ｂは隣接する羽根の水当てパネル２２の頂部を越え、かつ隣接する羽根の滞水溝２３の上方に位置する。
【００２４】
枠部１は支持に用いられ、かつその頂部には羽根２が設けられている。複数の羽根２は平行になって間隔を有して枠部１の頂部に設けられ、羽根２の両端には操縦装置が設けられ、ユーザーの操作により羽根２自身の偏向角度の調節を実現する。回動して開くとき、羽根２はほぼ直立状態になり、かつ隣接する羽根の間は大きな空間を有して光線の入射を許容し、キャノピー内での明るさを向上させる。閉鎖するとき、隣接する羽根は互いに回動し、順々に重ね合わされて縦方向に完全に密閉されるため、降った雨水はキャノピー内に落ちることがない。
【００２５】
枠部１の頂部に傾斜して下へ向かって延伸する支持梁１１を設けることにより、羽根２が支持梁１１の長手方向に沿って配列されて、キャノピーの頂部全体は傾斜状態を呈し、落ちる雑物が容易に滑り落ち、堆積しにくくなる。落ちる雑物は葉などの通常軽くて薄く、湿った羽根２表面に粘着しやすく清浄しにくい。雨よけパネル２１と水当てパネル２２を含む羽根２を設け、かつその両者の間に滞水溝２３を形成する。水当てパネル２２は湾曲されたパネルであり、雨よけパネル２１に連結する第１パネル体を含み、第１パネル体は雨よけパネル２１から離れる方向に向かって延伸し、かつ第２パネル体に連結され、第１パネル体と第２パネル体の間は鈍角を成して連結されるため、滞水溝２３内の貯水容量を増大させることができる。これにより、雨が降るとき雨水が滞水溝２３内に集まり、滞水溝２３が満杯になってから下へ向かって継続に流動する。降水量が多いとき、キャノピーの頂部の水の流量が大きいため、落ちる雑物を勢いで落とさせており、降水量が少ないとき、落ちる雑物は一部が滞水溝２３内の水液表面に浮かび、雑物と羽根２の間の水膜が非常に薄くなって完全に貼合するため、上方で持続して流れる水量の衝撃下で依然として水流に従って下へ落ち、降水量の少ないときの雑物が羽根２の表面に貼合して堆積を形成することを回避する。滞水溝２３の水当てパネル２２の片側に位置する溝壁が雨よけパネル２１より高く、雨よけパネル２１の第２長側辺２１ｂが隣接する羽根の水当てパネル２２の頂部を越え、かつ隣接する羽根の滞水溝２３の上方に位置するため、滞水溝２３の満杯になった後の水流が下へ向かって隣接する滞水溝２３内に流されて、雑物に衝撃を与え、雑物は重力の分力と水流の力の作用でキャノピーの頂部から離れることで堆積の形成を回避する。
【００２６】
さらに、雨よけパネル２１は隣接する羽根の滞水溝に向かって延伸する延伸段２１２を有し、第２長側辺２１ｂは延伸段２１２の末端に位置する。複数の羽根２が閉鎖状態に回動されたとき、延伸段２１２は下へ向かって傾斜する状態を呈し、雨よけパネル２１は第１長側辺２１ａから平滑に第２長側辺２１ｂへ過渡し、具体的は、雨よけパネル２１の上表面は円弧状を呈する。
【００２７】
雨よけパネル２１の延伸段２１２を設けることにより、水流と雑物は重力の分力作用により流動速度が更に速くなり、雑物の滞水溝２３領域での運動時間が減少されて、貼合を回避する。雨よけパネル２１において、第１長側辺２１ａから雨よけパネル２１の第２長側辺２１ｂへ平滑に過渡するため、雑物の流動過程で受ける抵抗を更に減少することができ、雑物の運動が更に順調になって、堆積の形成を回避することができる。好ましくは、複数の羽根２が閉鎖状態に回動されたとき、雨よけパネル２１の第２長側辺２１ｂと下方の隣接する羽根の水当てパネル２２との間に可動空間３を有し、継続に羽根２を回動させて隣接する羽根を互いに当接させることができる。
【００２８】
閉鎖状態のとき、雨よけパネル２１の第２長側辺２１ｂと下方の隣接する羽根の水当てパネル２２との間に可動空間３を有するため、キャノピーは雨よけを実現すると同時に、優れる通気効果を有し、雨が降るときにキャノピー内で生じるスモッグまたは異常な臭は高速に拡散することができる。それ以外に、雨が止んだ後、ユーザーは羽根２を回動させて可動空間３を圧縮して当接状態にし、これにより、滞水溝２３は回動による影響を受けて傾斜し、その内部に残された雨水は溢れ出しかつ流れ落ちるため、雨の後にキャノピーの頂部に残された少量の雑物は雨水の衝撃を受けて順調にキャノピーから離れ、自動清浄効果を実現し、さらに雑物の堆積を回避できる。
【００２９】
雨よけパネル２１の第２長側辺２１ｂは湾曲延伸して雨よけ折部２１１を形成し、複数の前記羽根２が閉鎖状態に回動されたとき、雨よけ折部２１１が隣接する羽根の滞水溝２３内に挿設され、すなわち、複数の羽根２が閉鎖状態に回動されたとき、雨よけ折部２１１の底端位置は、下方の隣接する羽根の水当てパネル２２の頂部位置より低い。
【００３０】
雨よけパネル２１の第２長側辺２１ｂには雨よけパネル２１に対して下へ向かって延伸する雨よけ折部の２１１が設けられ、閉鎖状態で雨よけ折部２１１は下方の隣接する羽根の滞水溝２３の真上に位置し、かつ雨よけ折部２１１の底端位置は隣接する羽根の水当てパネル２２の頂部位置より低くなっているため、外部の風力が大きくなって水滴を横方向に落とさせても、羽根２の間の空間を通じて羽根の内部へ進入できない。水当てパネル２２の外側辺は雨よけパネル２１に向かって湾曲し、かつ水当てパネルと共に貯水に用いる拘束溝２４を囲んで形成する湾曲パネル２２１を有する。すなわち、水当てパネル２２の第１パネル体と第２パネル体及び湾曲パネルの間は拘束溝２４を形成する。水当てパネル２２は同時に拘束溝２４の一部溝壁と滞水溝２３の一部溝壁とされて、拘束溝２４内の水が滞水溝２３の両端の排水口１４２から排出される。ユーザーが羽根２を回動させてほぼ直立状態に開いたとき、滞水溝２３内に滞留された一部の雨水は水当てパネル２２に沿って拘束溝２４内に流れかつ湾曲パネル２２１により制限され、最終的には拘束溝２４の両端に流れて排水口１４２から流出され、羽根を開いたときキにャノピー内に落ちない。
【００３１】
図１−３、図７−１１に示されたように、枠部１の頂部はクロスメンバー１２を更に有し、複数の羽根２はそれぞれクロスメンバー１２の両側に配置される。枠部１の頂部にはクロスメンバー１２が設けられて、クロスメンバー１２がそれぞれ羽根２の両側に配置され、支持梁１１がクロスメンバー１２から両側に向かって延伸し、これにより、同じ高さ条件下でキャノピー頂部の傾斜度が更に大きくなり、雑物の堆積される難度を増加し、空間の利用に役に立つ。
【００３２】
支持梁１１はその長手方向に沿って設けられる水案内溝１３を有し、水案内溝１３は支持梁１１と羽根２の接合部位に対応する真下に位置する。クロスメンバー１２はその長手方向に沿って設けられる水受け溝を有し、水受け溝は羽根２とクロスメンバー１２の接合部位の真下に位置する。クロスメンバー１２上に位置する水受け溝は支持梁１１に位置する水案内溝１３に連通することにより、羽根２と支持梁１１の接合部位から流し落ちる一部の雨水が水案内溝１３内に集まり、羽根２とクロスメンバー１２の接合部位から流し落ちる一部の雨水が水受け溝に収集されて、雨水がキャノピーの内部に対して影響することを回避する。
【００３３】
枠部１は支持梁１１を支持するための立柱１４を更に含み、立柱１４内は上下に貫通する排水通路１４１を有し、排水通路１４１の上端は該支持梁１１に位置する水案内溝１３に下端に連通する。立柱１４内には上下に貫通する排水通路１４１が設けられ、かつ排水通路１４１の上端を水案内溝１３に連通させることで、水案内溝１３と水受け溝内に収集された雨水は立柱１４内の排水通路１４１に沿って排出されて、キャノピー内の雨水の影響を回避する。立柱１４の底部のキャノピーに向かっている外側には２つ排水口１４２が設けられ、排水口１４２は排水通路１４１の下端に連通する。立柱１４の底部のキャノピーに向かっている外側に排水通路１４１に連通する排水口１４２が設けられているため、排水通路１４１から排出される雨水は排水口１４２を通じてキャノピーの外部に流されて、キャノピーに対してずっと影響を与えない。
【００３４】
本明細書により記載されている具体的実施例は本発明の精神に対して例を挙げて説明しているだけである。本発明の当業者は本発明に記載されている具体的実施例によりいろんな修正または補充または類似の手段を代替できるが、本発明の精神からはなれない、または本発明のトッ書請求の範囲に定義された範囲を超えない。
【符号の説明】
【００３５】
１、枠部；１１、支持梁；１２、クロスメンバー；１３、水案内溝；１４、立柱；１４１、排水通路；１４２、排水口；２、羽根；２１、雨よけパネル；２１ａ、第１長側辺；２１ｂ、第２長側辺；２１１、雨よけ折部；２１２、延伸段；２２、水当てパネル；２２１、湾曲パネル；２３、滞水溝；２３１、水出口；２４、拘束溝；３、可動空間。
【図１】
2020190187.tif 000003
【図２】
2020190187.tif 000004
【図３】
2020190187.tif 000005
【図４ａ】
2020190187.tif 000006
【図４ｂ】
2020190187.tif 000007
【図５】
2020190187.tif 000008
【図６】
2020190187.tif 000009
【図７】
2020190187.tif 000010
【図８】
2020190187.tif 000011
【図９】
2020190187.tif 000012
【図１０】
2020190187.tif 000013